(57)【要約】【課題】ＵＳＢポートを介して外部電源と接続する携帯型電動エアポンプを提供する。【解決手段】本考案に係る携帯型電動エアポンプは、筐体１０、エアポンプ機構２０、電源スイッチ３０、電源接続ポート４０、エアチューブ６０及び圧力センサ部５０を備える。筐体１０は、収容空間１１を有する。エアポンプ機構２０は、筐体１０の収容空間１１中に取り付けられるとともに、駆動部２１、シリンダ部２２及び排気口２３を有する。電源スイッチ３０は、筐体１０上に配設されるとともに、電源制御部３１を有する。電源接続ポート４０は、筐体１０上に設けられたＵＳＢポートであるとともに、電源制御部３１と電気的に接続される。エアチューブ６０は、一端が排気口２３に接続され、他端にプラグ６１が設けられる。圧力センサ部５０は、筐体１０に配設されて排気口２３と連通し、排気口２３の気体圧力を感知する圧力計である。【選択図】図２
0003220033.tif 000002
【実用新案登録請求の範囲】
【請求項１】
筐体、エアポンプ機構、電源スイッチ、電源接続ポート、エアチューブ及び圧力センサ部を備えた携帯型電動エアポンプであって、
前記筐体は、収容空間を有し、
前記エアポンプ機構は、前記筐体の前記収容空間中に取り付けられるとともに、駆動部、シリンダ部及び排気口を有し、前記駆動部は、前記シリンダ部を駆動し、前記シリンダ部は、前記排気口と連通し、
前記電源スイッチは、前記筐体上に配設されるとともに、電源制御部を有し、前記電源スイッチにより前記電源制御部のオン・オフを切換え、前記電源制御部は、前記駆動部と電気的に接続され、
前記電源接続ポートは、前記筐体上に設けられたＵＳＢポートであるとともに、前記電源制御部と電気的に接続され、
前記エアチューブは、一端が前記排気口に接続され、他端にプラグが設けられるとともに、気体被注入オブジェクトのノズルに接続され、
前記圧力センサ部は、前記筐体に配設されて前記排気口と連通し、前記排気口の気体圧力を感知する圧力計であることを特徴とする携帯型電動エアポンプ。
【考案の詳細な説明】
【技術分野】
【０００１】
本考案は、携帯型電動エアポンプに関するものであり、さらに詳しくは、ＵＳＢポートを介して外部電源と接続する携帯型電動エアポンプに関するものである。
【背景技術】
【０００２】
従来の電動エアポンプは、手作業によるポンピングの不便さを改善したものであり、ユーザが様々な場所で充電して使用できるように、バッテリーを内部に有するものが一般的であった。しかし、バッテリーを有する電動エアポンプには以下（１）〜（４）の欠点があった。
【０００３】
（１）大型で携帯が容易でない：蓄電能力を高めるために、従来の電動エアポンプが有するバッテリーが大きかったため、電動エアポンプの体積もそれに伴って大きくなり、携帯し難かった。
（２）製造コストが多くかかった：従来の電動エアポンプは、内部にバッテリーを有する。そのため、バッテリー自身のコストの他、バッテリーを収容するケースに必要な材料も多くなり、製造コストもそれに伴って増大した。
（３）汚染し易い：近年、人々の環境保護に対する意識が高まっているが、使用済み電池による汚染はあまり重視されておらず、人々は使用済み電池を一般のゴミと一緒に廃棄することが多く、染み出た水銀及び重金属が土壌に染みて地下水を汚染し、二次汚染が発生してしまうことがあった。
（４）バッテリーが劣化又は故障することがあった：バッテリーには一定の寿命があり、バッテリーが劣化又は故障すると、装置が使用できなくなり、バッテリーを交換する必要があった。ボール類（例えば、バスケットボール、サッカーボール）又はタイヤなどのオブジェクトであっても、気体を注入した後、注入された状態が長い間維持されるため、次回気体を注入するまでの間隔が長く、電動エアポンプを使用する頻度が少なかった。そのため、バッテリーを使用しない期間が長くなり、故障し易いという問題点があった。
【考案の概要】
【考案が解決しようとする課題】
【０００４】
従って、本考案の主な課題は、前記の通り、バッテリーを備えた電動エアポンプが有する（１）〜（４）の欠点を解消した電動エアポンプを提供することにある。
【課題を解決するための手段】
【０００５】
そこで、本考案者は、前記課題を解決するため鋭意検討を重ねた結果、前記の主な課題に対しては、電源接続ポートを介して外部電源と接続し、電動により気体を注入することにより、前記課題を解決できることに着目し、かかる知見に基いて本考案に想到するに至った。
【０００６】
すなわち、上記課題を解決するために、本考案の一形態によれば、筐体、エアポンプ機構、電源スイッチ、電源接続ポート、エアチューブ及び圧力センサ部を備えた携帯型電動エアポンプであって、前記筐体は、収容空間を有し、前記エアポンプ機構は、前記筐体の前記収容空間中に取り付けられるとともに、駆動部、シリンダ部及び排気口を有し、前記駆動部は、前記シリンダ部を駆動し、前記シリンダ部は、前記排気口と連通し、前記電源スイッチは、前記筐体上に配設されるとともに、電源制御部を有し、前記電源スイッチにより前記電源制御部のオン・オフを切換え、前記電源制御部は、前記駆動部と電気的に接続され、前記電源接続ポートは、前記筐体上に設けられたＵＳＢポートであるとともに、前記電源制御部と電気的に接続され、前記エアチューブは、一端が前記排気口に接続され、他端にプラグが設けられるとともに、気体被注入オブジェクトのノズルに接続され、前記圧力センサ部は、前記筐体に配設されて前記排気口と連通し、前記排気口の気体圧力を感知する圧力計であることを特徴とする携帯型電動エアポンプを提供することにある。
【０００７】
かくして、本考案は、次の（１）に記載の要旨を有するものである。
（１）筐体、エアポンプ機構、電源スイッチ、電源接続ポート、エアチューブ及び圧力センサ部を備えた携帯型電動エアポンプであって、
前記筐体は、収容空間を有し、
前記エアポンプ機構は、前記筐体の前記収容空間中に取り付けられるとともに、駆動部、シリンダ部及び排気口を有し、前記駆動部は、前記シリンダ部を駆動し、前記シリンダ部は、前記排気口と連通し、
前記電源スイッチは、前記筐体上に配設されるとともに、電源制御部を有し、前記電源スイッチにより前記電源制御部のオン・オフを切換え、前記電源制御部は、前記駆動部と電気的に接続され、
前記電源接続ポートは、前記筐体上に設けられたＵＳＢポートであるとともに、前記電源制御部と電気的に接続され、
前記エアチューブは、一端が前記排気口に接続され、他端にプラグが設けられるとともに、気体被注入オブジェクトのノズルに接続され、
前記圧力センサ部は、前記筐体に配設されて前記排気口と連通し、前記排気口の気体圧力を感知する圧力計であることを特徴とする携帯型電動エアポンプ。
【考案の効果】
【０００８】
本考案の携帯型電動エアポンプは、ＵＳＢポートを介して外部電源を利用することにより、バッテリーを搭載した従来の電動エアポンプに対比して、製品体積、製品重量、製造コスト、環境汚染対応、製品寿命の面で優位になるなど著しく顕著な効果を奏する。
【図面の簡単な説明】
【０００９】
【図１】図１は、本考案の一実施形態に係る携帯型電動エアポンプを示す斜視図である。
【図２】図２は、本考案の一実施形態に係る携帯型電動エアポンプを示す分解斜視図である。
【図３】図３は、本考案の一実施形態に係る携帯型電動エアポンプの内部部材を示す斜視図である。
【図４】図４は、本考案の一実施形態に係る携帯型電動エアポンプを示す正面図である。
【考案を実施するための形態】
【００１０】
以下、図面により、本考案を具体的に説明する。もっとも、本考案はかかる図面により限定されるものではない。
図１〜図４を参照する。図１〜図４に示すように、本考案の一実施形態に係る携帯型電動エアポンプは、気体被注入オブジェクトに接続され、電動方式により気体を気体被注入オブジェクト内に注入する。例えば、ボール類、タイヤなど、気体を注入する必要があるオブジェクトに気体を注入する。
【００１１】
本考案の一実施形態に係る携帯型電動エアポンプは、筐体１０、エアポンプ機構２０、電源スイッチ３０、電源接続ポート４０、圧力センサ部５０及びエアチューブ６０を含む。
【００１２】
筐体１０は、収容空間１１を有する。
【００１３】
エアポンプ機構２０は、筐体１０の収容空間１１中に取り付けられるとともに、駆動部２１、シリンダ部２２及び排気口２３を有する。駆動部２１は、シリンダ部２２を駆動させる。シリンダ部２２は、排気口２３と連通する。駆動部２１はモータでもよい。シリンダ部２２中には、直線往復運動するピストン機構が配設されてもよい。駆動部２１がシリンダ部２２のピストン機構を駆動させると、シリンダ部２２中の気体（例えば空気）が圧縮されて排気口２３から排出される。
【００１４】
電源スイッチ３０は、筐体１０上に設けられるとともに、電源制御部３１を有する。電源スイッチ３０は、プッシュスイッチであり、所定の圧力で押下すると、電源制御部３１のオン・オフを切換えることができる。電源制御部３１は、駆動部２１と電気的に接続される。
【００１５】
電源接続ポート４０は、ＵＳＢポートであり、筐体１０上に設けられ、筐体１０の側辺から露出されている。電源接続ポート４０は、電源制御部３１と電気的に接続される。
【００１６】
圧力センサ部５０は、筐体１０上に配設されて排気口２３と連通し、排気口２３の気体圧力を感知する市販の圧力計でもよい。
【００１７】
エアチューブ６０は、一端が排気口２３に接続され、他端にプラグ６１が設けられるとともに、気体被注入オブジェクトのノズルに接続され、電動方式により気体被注入オブジェクトの内部に気体が注入される。
【００１８】
一般によく見かけるＵＳＢケーブル７０を利用し、外部電源と電源接続ポート４０とを接続し、電源スイッチ３０を押下して切換えて電源制御部３１を駆動し、駆動部２１に電力を供給し、シリンダ部２２を作動し、排気口２３を介してエアチューブ６０へ気体を出力し、最終的に気体被注入オブジェクトの内部に供給する。
【００１９】
さらに詳細に述べると、本考案の携帯型電動エアポンプは、従来技術で使用していた電動エアポンプ中のバッテリーを無くしたが、その原因は、ボール類（例えば、バスケットボール、サッカーボール等）又はタイヤなどのオブジェクトであっても、気体を注入した後、注入された状態が長い間維持されるため、次回気体を注入するまでの間隔が長く、電動エアポンプを使用する頻度が少なかったからである。また、電動エアポンプに必要な電力は少ないため、本考案の携帯型電動エアポンプは、日常生活で一般に使用するＵＳＢケーブルを用いて電動により気体を注入することができるため、製造コストが少ない上、環境を汚染することがないという利点がある。
【００２０】
上述したことから分かるように、本考案の携帯型電動エアポンプは、以下（１）〜（４）の長所を有する。
（１）小型で携帯容易な点：蓄電能力を高めるために、従来の電動エアポンプが有するバッテリーが大きかったため、従来の電動エアポンプの体積もそれに伴って大きくなり、携帯し難かった。しかし、本考案によれば、ＳＢにより外部電源と接続することによりバッテリーを無くすことができるので、ユーザは、日常生活で一般に使用するＵＳＢケーブルを利用するだけで、モバイル電源、プラグ受けなどの外部電源と接続して給電することができるため、小型で携帯し易いという長所を有する。
（２）製造コストが少ない点：従来の電動エアポンプは、内部にバッテリーを有する。そのため、バッテリー自身のコストの他、バッテリーを収容するケースに必要な材料も多く、製造コストもそれに伴って増大した。しかし、本考案は、バッテリーが必要無く、筐体の体積も製造上、相対的に小さいため、製造コストが少ない。
（３）環境を汚染しない点：一般に使用済み電池は一般のゴミと一緒に廃棄されることが多く、その場合、染み出た水銀及び重金属が土壌に染みて地下水を汚染し、二次汚染が発生してしまうことがあった。しかし、本考案によれば、バッテリーが必要無いため二次汚染が発生せず、環境を汚染しない。
（４）故障し難い点：バッテリーには一定の寿命があり、バッテリーが劣化又は故障すると、装置が使用できなくなり、バッテリーを交換する必要があった。しかし、本考案によれば、ＵＳＢを利用して外部電源に接続されているため、バッテリーが必要ない。そのため、故障し難く、使用寿命の長期化も可能となった。
【符号の説明】
【００２１】
１０  筐体
１１  収容空間
２０  エアポンプ機構
２１  駆動部
２２  シリンダ部
２３  排気口
３０  電源スイッチ
３１  電源制御部
４０  電源接続ポート
５０  圧力センサ部
６０  エアチューブ
６１  プラグ
７０  ＵＳＢケーブル
【図１】
0003220033.tif 000003
【図２】
0003220033.tif 000004
【図３】
0003220033.tif 000005
【図４】
0003220033.tif 000006